(57)【要約】      （修正有）【課題】高欄取替工事の際の、作業員の転落防止のために設置される仮設防護柵用固定バンドおよび仮設防護柵用固定バンドを用いた仮設防護柵を提供する。【解決手段】仮設防護柵用固定バンド１１および該固定バンドを用いた仮設防護柵４１であって、固定バンドは、地覆の上面に取り付けられる上板と、上板の一方の端部から垂下され、地覆の内壁を押さえつける押しボルトを備えた第１支持板と、上板の他方の端部から垂下され、地覆の外壁に当接される第２支持板と、上板の第２支持板側の端部から上向きに取り付けられた単管固定ベースとからなり、固定バンドを地覆に取り付け、単管固定ベースに単管パイプ２１を取付け、単管パイプどうしを水平の単管パイプ２２により連結させ、仮設防護柵を容易に形成することができるようにした。【選択図】図１８
0003232919.tif 000002
【実用新案登録請求の範囲】
【請求項１】
橋梁の側部に形成された地覆に取り付けられる仮設防護柵用固定バンドであって、
前記固定バンドは、前記地覆の上面に取り付けられる上板と、
前記上板の一方の端部から垂下され、前記地覆の内壁を押さえつける押しボルトを備えた第１支持板と、
前記上板の他方の端部から垂下され、前記地覆の外壁に当接される第２支持板と、
前記上板の第２支持板側の端部から上向きに形成された単管固定ベースとからなることを特徴とする仮設防護柵用固定バンド。
【請求項２】
前記固定バンドは、前記上板の長さ方向の途中位置に補強ボルトを挿通する挿通孔を備え、
前記挿通孔を介して前記地覆の前記挿通孔と対応する位置に設けた取付孔に前記補強ボルトを取り付け固定することができるようにしたことを特徴とする請求項１に記載の仮設防護柵用固定バンド。
【請求項３】
前記上板、前記第１支持板および前記第２支持板がＬ字状断面を備えてなることを特徴とする請求項１または請求項２に記載の仮設防護柵用固定バンド。
【請求項４】
複数の前記固定バンドと、
複数の前記固定バンドの前記単管固定ベースにそれぞれ垂直方向に取り付けられる複数の単管パイプと、
前記垂直方向に取り付けられる複数の単管パイプどうしを連結する複数の水平方向の単管パイプと、
からなる仮設防護柵であって、
複数の前記固定バンドを高欄が設置された前記地覆に順次取り付け、前記単管固定ベースにそれぞれ垂直方向に単管パイプを取り付け、前記垂直方向の単管パイプどうしを単管クランプを介して水平方向の単管パイプにより連結させることにより、前記高欄の外側に仮設防護柵を容易に形成することができるようにしたことを特徴とする仮設防護柵用固定バンドを用いた仮設防護柵。
【考案の詳細な説明】
【技術分野】
【０００１】
本考案は、自動車用道路等の橋梁部分に設けられた高欄の取替工事の際の、作業員の転落防止のために設置される仮設防護柵の基部となる仮設防護柵用固定バンドおよび仮設防護柵用固定バンドを用いた仮設防護柵に関する。
【背景技術】
【０００２】
従来、自動車道路等の橋梁部分には高欄が設けられており、経年劣化等の事情により高欄の取替工事が行われている。
この高欄取替工事に際しては、高欄が橋梁部分の側部に位置しているため高所作業となる場合が多く、事前にあるいは高欄取替工事と並行して、工事作業員の転落事故等を未然に防ぐ安全対策が行われている。
【０００３】
例えば、実用新案登録第３２２５９３３号公報（特許文献１）には、車輛あるいは歩行者の通行する道路の側面を形成する壁高欄に取り付け且つ撤収可能な高欄取付け式足場において、前記車輛あるいは歩行者の通行側に面した前記壁高欄の内壁対して、この内壁に押し当てるための調整ボルトを保持し且つ下方向に延びる背板部材と、前記背板部材に対して直角に接合し且つ前記壁高欄の頂部を圧接する頂板部材と、前記頂板部材に対して直角に接合し且つ前記壁高欄の外壁に対して、この外壁を押圧し且つ下方向に延びる吊板部材と、この吊板部材に対して直角に接合し且つその接合が前記吊板部材の長さの途中位置にある足場支持部材と、前記足場支持部材の先端部に位置し且つ前記足場支持部材と直角に接合する側柱支持パイプと、を備え、前記背板部材と前記頂板部材と前記吊板部材と前記足場支持部材と前記側柱支持パイプとを前記壁高欄に固定して取り付けることを特徴とする高欄取付け式足場が開示されている。
【先行技術文献】
【特許文献】
【０００４】
【特許文献１】実用新案登録第３２２５９３３号公報
【考案の概要】
【考案が解決しようとする課題】
【０００５】
上述の特許文献１に記載の考案においては、路肩壁部の工事に適するとされる吊り足場工法を前提として、仮設防護柵部分のほか、吊り足場部分を形成するための足場支持板が設けられている。この足場支持板は作業員が足場として利用するための十分な強度を備えなければならず、足場保持金具全体の重量が増す原因となっている。また、前記足場支持板は、吊板部材の長さの途中位置に設けられているため、前記足場保持金具全体の形状がいびつなものとなっており、設置または撤去における煩雑さの原因ともなっている。
【０００６】
特に、前記足場保持金具全体がいびつな形状であることから、高欄の形状によっては、設置に窮したり、高欄がある状態での設置が困難なために高欄撤去後の設置となる場合がある。また、高欄撤去後の設置となると、高欄撤去時の工事作業員の安全性に問題が生じることにもなる。
【０００７】
そこで、本考案は、前記問題点を鑑み、作業員一人でも作業可能な程度に小型・軽量で、高欄の形状を問わず設置または撤去が容易で、高欄取替工事の全工程において工事作業員の安全が保たれた状態で効率よく高欄の取替工事を行うことができる仮設防護柵用固定バンドおよび仮設防護柵用固定バンドを用いた仮設防護柵を提供しようとするものである。
【課題を解決するための手段】
【０００８】
すなわち本考案の仮設防護柵用固定バンドは、橋梁の側部に形成された地覆に取り付けられる仮設防護柵用固定バンドであって、前記固定バンドは、前記地覆の上面に取り付けられる上板と、前記上板の一方の端部から垂下され、前記地覆の内壁を押さえつける押しボルトを備えた第１支持板と、前記上板の他方の端部から垂下され、前記地覆の外壁に当接される第２支持板と、前記上板の第２支持板側の端部から上向きに形成された単管固定ベースとからなることを特徴とするものである。
【０００９】
本考案の仮設防護柵用固定バンドは、前記上板の長さ方向の途中位置に補強ボルトを挿通する挿通孔を備え、前記挿通孔を介して前記地覆の前記挿通孔と対応する位置に設けた取付孔に前記補強ボルトを取り付け固定することができるようにしたことをも特徴とするものである。
【００１０】
本考案の仮設防護柵用固定バンドは、前記上板、前記第１支持板および前記第２支持板がＬ字状断面を備えてなることをも特徴とするものである。
【００１１】
本考案の仮設防護柵用固定バンドを用いた仮設防護柵は、複数の前記固定バンドと、複数の前記固定バンドの前記単管固定ベースにそれぞれ垂直方向に取り付けられる複数の単管パイプと、前記垂直方向に取り付けられる複数の単管パイプどうしを連結する複数の水平方向の単管パイプと、からなる仮設防護柵であって、複数の前記固定バンドを高欄が設置された前記地覆に順次取り付け、前記単管固定ベースにそれぞれ垂直方向に単管パイプを取り付け、前記垂直方向の単管パイプどうしを単管クランプを介して水平方向の単管パイプにより連結させることにより、前記高欄の外側に仮設防護柵を容易に形成することができるようにしたことをも特徴とするものである。
【考案の効果】
【００１２】
本考案によれば、例えば次の作用効果を奏する。
（ａ）本考案に係る仮設防護柵用固定バンドは、上板、第１支持板および第２支持板で構成されているため、小型・軽量で作業員一人でも容易に持ち運ぶことができる。
（ｂ）前記固定バンドは、上板と前記上板の両端部から垂下された第１支持板・第２支持板とからなる下向きの略コ字状をなし、高欄の形状を問わず、容易に設置または撤去することができる。
（ｃ）前記固定バンドの設置および撤去は容易に行うことができるので、まずは高欄の取替箇所周辺に固定バンドを取り付けて仮設防護柵を形成しておき、高欄の取替工事が完了した部分の仮設防護柵および固定バンドを取り外して、順次、次に高欄の取替を行う箇所に固定バンドを取り付けて仮設防護柵を形成するようにすることで、少数の固定バンドでも高欄の長短を問わず適用することができる。
（ｄ）前記固定バンドは高欄の形状を問わず、高欄の撤去前に設置することができ、仮設防護柵を形成して安全に高欄を撤去することができる。また、高欄の設置後においては、高欄の内側から安全に仮設防護柵を構成する単管パイプと固定バンドを取り外して撤去することができる。したがって、高欄取替工事の全工程において、工事作業員の安全を確保することができる。
【図面の簡単な説明】
【００１３】
【図１】本考案の仮設防護柵用固定バンドおよび仮設防護柵用固定バンドを用いた仮設防護柵の一例における固定バンドを示し、（ａ）は概略正面図、（ｂ）は概略透視正面図である。
【図２】その固定バンドを示し、（ａ）は概略背面図、（ｂ）は概略透視背面図である。
【図３】その固定バンドを示し、（ａ）は概略左側面図、（ｂ）は概略透視左側面図である。
【図４】その固定バンドを示し、（ａ）は概略右側面図、（ｂ）は概略透視右側面図である。
【図５】その固定バンドを示し、（ａ）は概略平面図、（ｂ）は概略透視平面図である。
【図６】その固定バンドを示し、（ａ）は概略底面図、（ｂ）は概略透視底面図である。
【図７】その固定バンドを示し、（ａ）は正面側から見た概略斜視図、（ｂ）は正面側から見た概略透視斜視図である。
【図８】その固定バンドを示し、（ａ）は背面側から見た概略斜視図、（ｂ）は背面側から見た概略透視斜視図である。
【図９】その固定バンドおよび単管パイプを示し、分解状態の正面側から見た概略斜視図である。
【図１０】その背面側から見た概略斜視図である。
【図１１】本考案の仮設防護柵用固定バンドを地覆に取り付けようとする状態を示す概略正面図である。
【図１２】本考案の仮設防護柵用固定バンドを地覆に取り付けた状態を示す概略正面図である。
【図１３】本考案の仮設防護柵用固定バンドを地覆に取り付け、押しボルトを地覆の内壁に押し付けて固定した状態を示す概略正面図である。
【図１４】本考案の仮設防護柵用固定バンドの単管固定ベースに単管パイプを垂直方向に取り付けた状態を示す概略正面図である。
【図１５】高欄取替工事において、本考案の仮設防護柵用固定バンドを地覆に取り付けようとする状態を示す概略斜視図である。
【図１６】高欄取替工事において、本考案の仮設防護柵用固定バンドを地覆に複数取り付けた状態を示す概略斜視図である。
【図１７】高欄取替工事において、地覆に複数取り付けた本考案の仮設防護柵用固定バンドの固定ベースにそれぞれ単管パイプを垂直方向に取り付けた状態を示す概略斜視図である。
【図１８】高欄取替工事において、それぞれ立設された単管パイプどうしを、単管クランプを介して水平方向の単管パイプにより連結して仮設防護柵を形成した状態を示す概略斜視図である。
【図１９】本考案の仮設防護柵用固定バンドおよび仮設防護柵用固定バンドを用いた仮設防護柵を適用した高欄取替工事において、高欄を撤去した状態を示す概略斜視図である。
【図２０】本考案の仮設防護柵用固定バンドおよび仮設防護柵用固定バンドを用いた仮設防護柵を適用した高欄取替工事において、新規の高欄を設置した状態を示す概略斜視図である。
【図２１】本考案の仮設防護柵用固定バンドおよび仮設防護柵用固定バンドを用いた仮設防護柵を適用した高欄取替工事において、高欄の設置後に仮設防護柵を撤去すべく水平方向の単管パイプを取り外した状態を示す概略斜視図である。
【図２２】次いで、垂直方向の単管パイプを取り外した状態を示す概略斜視図である。
【図２３】最後に、本考案の仮設防護柵用固定バンドを撤去した状態を示す概略斜視図である。
【図２４】単管固定ベースの別の形態を示す概略正面図である。
【図２５】補強ボルトを地覆に取り付けた状態を示す概略断面図である。
【考案を実施するための形態】
【００１４】
以下、本考案の仮設防護柵用固定バンドおよび仮設防護柵用固定バンドを用いた仮設防護柵の実施の形態を、図面を参照して説明する。
図１ないし図１０は、本考案の仮設防護柵用固定バンドを示すものであり、図１１ないし図１４は、固定バンドを橋梁の側部に形成された地覆に取り付けて固定する手順を説明するものであり、図１５ないし図２３は、本考案の仮設防護柵用固定バンドおよび仮設防護柵用固定バンドを用いた仮設防護柵を適用した高欄取替工事の工程を示すものである。
【００１５】
まず、図１ないし図１０において、本考案の仮設防護柵用固定バンド１１は、上板１２と、前記上板１２の一方の端部から垂下された第１支持板１３と、前記上板１２の他方の端部から垂下された第２支持板１４と、前記上板１２の前記第２支持板１４側の端部から上向きに形成された単管固定ベース１５から構成されている。
【００１６】
前記上板１２は、Ｌ字状断面を備え、一方の平板部１２ａが底部を形成して後述の橋梁３１の側部に形成された地覆３２の上面に取り付けられ、前記地覆３２の内壁３２ａ側の端部から第１支持板１３が垂下され、前記地覆３２の外壁３２ｂ側の端部からは前記第２支持板１４が垂下されている。また、前記上板１２の前記第２支持板１４側の端部の平板部１２ａには上向きに単管固定ベース１５を形成してある。
【００１７】
前記第１支持板１３は、前記上板１２と同様にＬ字状断面を備え、前記上板１２の前記地覆３２の内壁３２ａ側の端部から、前記第１支持板１３の一方の平板部１３ａが前記地覆３２の内壁３２ａ側になるよう垂下されて形成されている。
そして、前記第１支持板１３の平板部１３ａには、前記地覆３２の内壁３２ａを押さえつける押しボルト１６を挿通する雌ねじ部１３ｂが形成されている。
【００１８】
前記第２支持板１４は、前記上板１２と同様にＬ字状断面を備え、前記上板１２の前記地覆３２の外壁３２ｂ側の端部から、前記第２支持板１４の一方の平板部１４ａが前記地覆３２の外壁３２ｂ側になるよう垂下されて形成されている。
なお、前記上板１２と前記第１支持板１３、および前記上板１２と第２支持板１４とは、それぞれ溶着により強固に接合させてある。
【００１９】
前記単管固定ベース１５は、前記上板１２の前記第２支持板１４側の端部の平板部１２ａに上向きに形成されている。前記単管固定ベース１５は、後述の単管パイプ２１の端部に挿通可能な円筒状であればよく、図２４に示すように、該単管固定ベース１５の円筒状の上部開口縁から周面に沿ってＬ字状の係止溝１５ａを形成しておき、前記単管パイプ２１の端部の内周面に設けた係止ピン（図示せず）を前記係止溝１５ａに係止させて抜け止めするようにしておくこともできる。
【００２０】
次に、本考案の仮設防護柵用固定バンド１１の、橋梁３１の側部に形成された地覆３２への取付手順を、図１１ないし図１３を参照して説明する。
まず、図１１に示すように、前記第１支持板１３を前記地覆３２の内壁３２ａ側、前記第２支持板１４を前記地覆３２の外壁３２ｂ側となるよう配置し、図１２に示すように、前記固定バンド１１の前記上板１２が前記地覆３２の上面に当接するよう取り付ける。このとき、同時に前記第２支持板１４の一方の平板部１４ａが前記地覆３２の外壁３２ｂと当接するようにしておくとよい。
ついで、図１３に示すように、前記第１支持板１３の一方の平板部１３ａに設けた雌ねじ部１３ｂに取り付けた押しボルト１６をねじ込んで、前記押しボルト１６のネジ端部を前記地覆３２の内壁３２ａに押し付けて、前記固定バンド１１を前記地覆３２に固定する。
【００２１】
このようにすることで、前記固定バンド１１は強固に前記地覆３２に取り付けることができる。また、図２５に示すように、前記上板１２の一方の平板部１２ａの長さ方向の途中位置に補強ボルト１７を挿通する挿通孔１２ｂを設けるとともに、前記地覆３２の上面の前記挿通孔１２ｂと対応する位置に取付孔３２ｃを設けて、前記補強ボルト１７を前記挿通孔１２ｂを挿通させて前記取付孔３２ｃに取り付けることにより、前記固定バンド１１をさらに強固に前記地覆３２に取り付けることもできる。
その後、図１４に示すように、前記固定バンド１１の端部に形成した前記単管固定ベース１５に単管パイプ２１を取り付ける。
【００２２】
本考案の仮設防護柵用固定バンド１１および該固定バンド１１を用いた仮設防護柵４１を適用した、橋梁３１の側部に形成された地覆３２に設置された高欄５１の取替工事の工程例を、図１５ないし図２３を参照して説明する。
まず、図１５に示すように、橋梁３１の側部に形成された地覆３２には取替の対象となる高欄５１が設置されており、前記高欄５１の取替工事を行うにあたっては、図１６に示すように、前記固定バンド１１を前記高欄５１が設置された地覆３２の上面に取り付ける。前記固定バンド１１の前記地覆３２への取付手順は先に説明したとおりである。もちろん、前記固定バンド１１の前記地覆３２への取付に高い強度が要求される場合は、前述の補強ボルト１７を適用してもよい。
【００２３】
つぎに、図１７に示すように、前記地覆３２に取り付けられた前記固定バンド１１の端部に形成された前記単管固定ベース１５に、前記単管パイプ２１を取り付けていく。そして、図１８に示すように、前記単管パイプ２１に取り付けた単管クランプ２３に水平方向の単管パイプ２２を取り付けて、前記単管パイプ２１どうしを連結させると、垂直方向の単管パイプ２１と水平方向の単管パイプ２２とからなる仮設防護柵４１が形成されるのである。
【００２４】
その後、図１９に示すように、高欄５１を撤去するのであるが、前記仮設防護柵４１が前記地覆３２の外壁３２ａ側、すなわち高欄５１よりも外側に形成されているので、工事作業員は安心して高欄５１の撤去工事を行うことができる。過去においては、高欄５１の外側に仮設防護柵４１を形成せずに高欄５１の撤去工事が行われ、転落等の重大事故が生じていたが、高欄取替工事において本考案の仮設防護柵用固定バンドおよび仮設防護柵用固定バンドを用いた仮設防護柵を適用することにより、工事作業員の転落等の重大事故を防ぐことができるのである。
【００２５】
新規の高欄５２の設置工事は、図２０に示すように、前記仮設防護柵４１が形成された状態で、工事作業員の安全が保たれた状態で行うことができる。新規の高欄５２が設置された後は、図２１に示すように、まず、前記水平方向の単管パイプ２２を前記垂直方向の単管パイプ２１から順次取り外し、次いで、図２２に示すように前記垂直方向の単管パイプ２１を前記単管固定ベース１５から順次取り外していく。そして最後に、図２３に示すように、前記固定バンド１１を前記地覆３２から順次取り外すと、高欄の取替工事は完了する。
【００２６】
なお、高欄取替工事において、前記固定バンド１１の前記地覆３２への取付は、一度に高欄取替工事の対象範囲の全域に設置してもよいが、前記固定バンド１１の設置および撤去は容易に行うことができるので、まずは高欄の取替箇所周辺に前記固定バンド１１を取り付けて仮設防護柵４１を形成しておき、高欄の取替工事が完了した部分の仮設防護柵４１および固定バンド１１を取り外して、順次、次に高欄の取替を行う箇所に固定バンド１１を取り付けて仮設防護柵４１を形成するようにしていくこともできる。このようにすることで、少数の固定バンド１１でも高欄の長短を問わず適用することもでき、低コストで効率よく、しかも工事作業員の安全が保たれた上で、高欄取替工事を行うことができるのである。
【００２７】
以上のとおり、本考案の仮設防護柵用固定バンドおよび仮設防護柵用固定バンドを用いた仮設防護柵は、前記固定バンド１１は前記上板１２と前記第１支持板１３と前記第２支持板１４とで構成されており、小型・軽量で作業員一人でも持ち運ぶことができるようにしてある。また、前記固定バンド１１は、前記上板１２と前記上板１２の両端部から垂下された第１支持板１３，第２支持板１４とからなる下向きの略コ字状をなし、高欄の形状を問わず、容易に設置または撤去することができる。
【００２８】
さらに、前記固定バンド１１の設置および撤去は容易に行うことができるので、まずは高欄の取替箇所周辺に固定バンド１１を取り付けて仮設防護柵４１を形成しておき、高欄の取替工事が完了した部分の仮設防護柵４１および固定バンド１１を取り外して、順次、次に高欄の取替を行う箇所に固定バンド１１を取り付けて仮設防護柵４１を形成するようにすることで、少数の固定バンドでも高欄の長短を問わず適用することができる。
そして、前記固定バンド１１は高欄の形状を問わず、高欄の撤去前に設置することができ、仮設防護柵４１を形成して安全に高欄を撤去することができる。また、高欄の設置後においては、高欄の内側から安全に仮設防護柵４１を構成する単管パイプ２１と固定バンド１１を取り外して撤去することができる。したがって、高欄取替工事の全工程において、工事作業員の安全を確保することができるのである。
【産業上の利用可能性】
【００２９】
本考案の仮設防護柵用固定バンドおよび仮設防護柵用固定バンドを用いた仮設防護柵を適用した高欄取替工事において、前記固定バンド１１を橋梁３１の側部に形成された地覆３２に取り付ける実施例について述べたが、もちろん高欄の取替工事に限られるものではなく、ガードレールその他の防護柵の取替工事においても本考案の仮設防護柵用固定バンドおよび仮設防護柵用固定バンドを用いた仮設防護柵を適用することができることはいうまでもない。
【符号の説明】
【００３０】
１１  固定バンド
１２  上板
１２ａ  一方の平板部
１２ｂ  挿通孔
１３  第１支持板
１３ａ  一方の平板部
１３ｂ  雌ねじ部
１４  第２支持板
１４ａ  一方の平板部
１５  単管固定ベース
１５ａ  Ｌ字状の係止溝
１６  押しボルト
１７  補強ボルト
２１  垂直方向の単管パイプ
２２  水平方向の単管パイプ
２３  単管クランプ
３１  橋梁
３２  地覆
３２ａ  内壁
３２ｂ  外壁
３２ｃ  取付孔
４１  仮設防護柵
５１  高欄
５２  新規の高欄
【図１】
0003232919.tif 000003
【図２】
0003232919.tif 000004
【図３】
0003232919.tif 000005
【図４】
0003232919.tif 000006
【図５】
0003232919.tif 000007
【図６】
0003232919.tif 000008
【図７】
0003232919.tif 000009
【図８】
0003232919.tif 000010
【図９】
0003232919.tif 000011
【図１０】
0003232919.tif 000012
【図１１】
0003232919.tif 000013
【図１２】
0003232919.tif 000014
【図１３】
0003232919.tif 000015
【図１４】
0003232919.tif 000016
【図１５】
0003232919.tif 000017
【図１６】
0003232919.tif 000018
【図１７】
0003232919.tif 000019
【図１８】
0003232919.tif 000020
【図１９】
0003232919.tif 000021
【図２０】
0003232919.tif 000022
【図２１】
0003232919.tif 000023
【図２２】
0003232919.tif 000024
【図２３】
0003232919.tif 000025
【図２４】
0003232919.tif 000026
【図２５】
0003232919.tif 000027
【手続補正書】
【提出日】令和3年4月30日(2021.4.30)
【手続補正１】
【補正対象書類名】実用新案登録請求の範囲
【補正対象項目名】請求項４
【補正方法】変更
【補正の内容】
【請求項４】
複数の固定バンドと、
複数の前記固定バンドの単管固定ベースにそれぞれ垂直方向に取り付けられる複数の単管パイプと、
前記垂直方向に取り付けられる複数の単管パイプどうしを連結する複数の水平方向の単管パイプと、
からなる仮設防護柵であって、
複数の前記固定バンドを高欄が設置された地覆に順次取り付け、前記単管固定ベースにそれぞれ垂直方向に単管パイプを取り付け、前記垂直方向の単管パイプどうしを単管クランプを介して水平方向の単管パイプにより連結させることにより、前記高欄の外側に仮設防護柵を容易に形成することができるようにしたことを特徴とする仮設防護柵用固定バンドを用いた仮設防護柵。